(57)【要約】【課題】  それぞれに切取可能な切取領域を設けた２枚シートを重ね合わせ、その一部が接着された伝票であって、廃材となる部位の少ない伝票を提供する。【解決手段】  配送する際に送り状として用いられる第１のシートの面と、納品する際に納品書として用いられる第２のシートの面とが接着されることで構成されていて、第１のシートと第２のシートとにそれぞれ、互いに剥がされないように接着剤が施された接着領域があり、第１のシートは、第１のシートの接着領域と連接し、第１のシートから切り取り可能な第１の領域を備え、第２のシートは、第２のシートの接着領域と連接し、第１の領域と相対する位置にあり、第２のシートから切り取り可能な第２の領域を備えることを特徴とする伝票。【選択図】  図２
2015174366.tif 000002
【特許請求の範囲】
【請求項１】
配送する際に送り状として用いられる第１のシートの面と、納品する際に納品書として用いられる第２のシートの面とが接着されることで構成される伝票であって、
前記第１のシートと前記第２のシートとに、それぞれのシートと接着する接着領域であって、前記第１のシートと前記第２のシートとを剥がされないように接着剤が施された接着領域を備え、
前記第１のシートは、
前記第１のシートの前記接着領域と連接し、前記第１のシートから切り取り可能な第１の領域を備え、
前記第２のシートは、
前記第２のシートの前記接着領域と連接し、前記第１の領域と相対する位置にあり、前記第２のシートから切り取り可能な第２の領域を備えることを特徴とする伝票。
【請求項２】
前記第１のシートは、
前記接着領域と前記第１の領域とが連接していない第１のシートの第３の領域であって、前記第１のシートと前記第２のシートとを剥がせるように、前記第２のシートの面と接着された前記第１のシートの面に接着剤が施された第３の領域を更に備えることを特徴とする請求項１に記載の伝票。
【請求項３】
前記第２のシートは、
前記接着領域と前記第２の領域とが連接していない第２のシートの第４の領域であって、前記第１のシートと前記第２のシートとを剥がせるように、前記第１のシートの面と接着された前記第２のシートの面に剥離剤が施された第４の領域を更に備えることを特徴とする請求項１または２に記載の伝票。
【請求項４】
前記第２のシートは、
前記第４の領域と前記第２のシートの前記接着領域との間にスリットを備えていることを特徴とする請求項３に記載の伝票。
【請求項５】
前記第２のシートは、
前記第４の領域と前記第２のシートの前記接着領域との間に設けられたスリットは、ミシン目を含むことを特徴とする請求項４に記載の伝票。
【請求項６】
前記第１の領域は、前記第１のシートの前記接着領域と連接し、前記第１のシートから切り取り可能に構成されていることを特徴とする請求項１乃至５の何れか１項に記載の伝票。
【請求項７】
前記第１のシートは、
前記第１のシートの前記接着領域と前記第１の領域との間にミシン目を備え、
前記第１の領域は、前記第１のシートの前記接着領域と前記第１の領域との間に設けられた前記ミシン目により、前記第１のシートの前記接着領域と連接し、前記第１のシートから切り取り可能な領域であることを特徴とする請求項１乃至６の何れか１項に記載の伝票。
【請求項８】
前記第１の領域は、前記第３の領域と連接し、前記第１のシートから切り取り可能に構成されていることを特徴とする請求項２乃至７の何れか１項に記載の伝票。
【請求項９】
前記第１のシートは、
前記第３の領域と前記第１の領域との間にミシン目を備え、
前記第１の領域は、前記第３の領域と前記第１の領域との間に設けられた前記ミシン目により、前記第３の領域と連接し、前記第１のシートから切り取り可能な領域であることを特徴とする請求項２乃至８の何れか１項に記載の伝票。
【請求項１０】
前記第２の領域は、前記第２のシートの前記接着領域と連接し、前記第１のシートから切り取り可能に構成されていることを特徴とする請求項１乃至９の何れか１項に記載の伝票。
【請求項１１】
前記第２のシートは、
前記第２のシートの前記接着領域と前記第２の領域との間にミシン目を備え、
前記第２の領域は、前記第２のシートの前記接着領域と前記第２の領域との間に設けられた前記ミシン目により、前記第２のシートの前記接着領域と連接し、前記第２のシートから切り取り可能な領域であることを特徴とする請求項１乃至１０の何れか１項に記載の伝票。
【請求項１２】
前記第２の領域は、前記第２のシートの前記第４の領域と連接し、前記第１のシートから切り取り可能に構成されていることを特徴とする請求項１乃至１１の何れか１項に記載の伝票。
【請求項１３】
前記第２のシートは、
前記第４の領域と前記第２の領域との間にミシン目を備え、
前記第２の領域は、前記第４の領域と前記第２の領域との間に設けられた前記ミシン目により、前記第４の領域と連接し、前記第２のシートから切り取り可能な領域であることを特徴とする請求項１乃至１２の何れか１項に記載の伝票。
【請求項１４】
前記第１のシートは、
前記第３の領域と切取りが可能に連接し、前記第２のシートと相対する第５の領域を更に備えることを特徴とする請求項２乃至９のいずれか１項に記載の伝票。
【請求項１５】
前記第１のシートは、
前記第３の領域と前記第５の領域とに切取りが可能に連接し、前記第３の領域との間にスリットを備える第６の領域であって、前記第４の領域に相対し、前記第１のシートと前記第２のシートとを剥がされないように接着剤が施された第６の領域を、更に備えることを特徴とする請求項１０に記載の伝票。
【請求項１６】
前記第２の領域は、さらに前記第３の領域と相対する前記第２の領域であって、前記第１のシートの面と接着された前記第２のシートの面に剥離剤が塗布された前記第２の領域であることを特徴とする請求項２乃至１１のいずれか１項に記載の伝票。
【発明の詳細な説明】
【技術分野】
【０００１】
本発明は、伝票に関する。
【背景技術】
【０００２】
従来、配送品を送付するための配送伝票の一つに、特許文献１のような、２枚のシートから構成され、送り状と納品書（明細書）とが一体化した伝票が提案されている。
【０００３】
そして特許文献１のような配送伝票は、納品書などを保護しながら配送が可能である。なぜならば、特許文献１のように設けることで、伝票の送り状の部分と配送品の包装（包装箱、包装容器や包装紙などの包みなど）との間に納品書を封入することができるからである。
【０００４】
また、特許文献１のような配送伝票は、送達後に送り状や納品書を切り取って、重ねて保管することが容易である。なぜならば、特許文献１のように設けることで、送り状や納品書に粘着性を極力低減した伝票を構成できるからである。
【先行技術文献】
【特許文献】
【０００５】
【特許文献１】特開２０１１−１５６８３３号公報
【発明の概要】
【発明が解決しようとする課題】
【０００６】
しかし、特許文献１の伝票は、印字面が一方のシート（上側基材）にしか設けられておらず、他方のシート（下側基材）を印字面（納品書や送り状）として活用していない。つまり、片面印刷の伝票である。
【０００７】
このような片面印刷の伝票では、印字面をより広く取ると、必然的に他方のシートも大きくなる。つまり、印字面を広く取った分だけ、印字面として使えない部位（＝廃材となる部位）が増えるという問題がある。
たとえば、上記特許文献１の伝票では、他方のシートの全てが「廃材となる部位」となるため、伝票として非常に無駄が出やすい。
【０００８】
そこで、片側印刷伝票と同じサイズの印刷用紙の印字面を取っても、よりも廃材となる部位が少ない伝票、すなわち、一方の面と他方の面とに印字領域が取れる（両面印刷が可能である）伝票の提供が望まれている。
【０００９】
本発明は、廃材となる部位の少ない伝票を提供するために、２枚のシートが重ねあわされて、その一部が接着された伝票であって、２枚のシートそれぞれに切取可能な切取領域を設けた伝票を提供することを目的とする。
【課題を解決するための手段】
【００１０】
本発明は、配送する際に送り状として用いられる第１のシートの面と、納品する際に納品書として用いられる第２のシートの面とが接着されることで構成される伝票であって、前記第１のシートと前記第２のシートとに、それぞれのシートと接着する接着領域であって、前記第１のシートと前記第２のシートとを剥がされないように接着剤が施された接着領域を備え、前記第１のシートは、前記第１のシートの前記接着領域と連接し、前記第１のシートから切り取り可能な第１の領域を備え、前記第２のシートは、前記第２のシートの前記接着領域と連接し、前記第１の領域と相対する位置にあり、前記第２のシートから切り取り可能な第２の領域を備えることを特徴とする。
【発明の効果】
【００１１】
このように設けることで、廃材となる部位の少ない伝票を提供するために、２枚のシートが重ねあわされて、その一部が接着された伝票であって、２枚のシートそれぞれに切取可能な切取領域を設けた伝票を提供することができる。
【図面の簡単な説明】
【００１２】
【図１】本発明の伝票を構成する２枚のシート（第１のシートと第２のシート）を重ね合わせる様子の一例を、側面図や斜視図で示した構成図である。
【図２】本発明の第１の実施例の伝票を構成する２枚のシートのそれぞれの上面と下面の一例を示した構成図である。
【図３】図２で示した上２枚のシートの対接する点、各部位の位置関係、寸法の一例を示した構成図である。
【図４】伝票から、ピッキングリスト１０１と荷札１０２を、ミシン目に沿って切り取り、分離した状態の一例を示した構成図である。
【図５】図４の状態の後、作業者が伝票を配送品に貼りつけて、配送準備を完了するまでの一連の手順の一例を示した構成図である。
【図６】配送品の包装に貼られた本発明の第１の実施例伝票であって、送り状１０３・受領書１０４の切取前と切取後の一例を示した構成図である。
【図７】図６（ｂ）の後、納品書１３１が切り取られる様子の一例を示した構成図である。
【図８】図７から納品書１３１を分離した後の状態の一例を示した構成図である。
【図９】本願発明の伝票の第２の実施例の一例を示した構成図である。
【図１０】本願発明の伝票の第３の実施例の一例を示した構成図である。
【図１１】本願発明の伝票の第４の実施例の一例を示した構成図である。
【図１２】配送品が複数個口である場合に、各個口ごとにそれぞれ添付するシート片の一例を示した構成図である。
【図１３】２個口目以降に貼りつける伝票の構成の一例を示した構成図である。
【図１４】１つの注文で複数個口の配送品を送付する際に、特許文献１の伝票と図１３の伝票とを組み合わせて用いた配送品の出庫作業の一例を示した構成図である。
【図１５】図１４の続きの一例を示した構成図である。
【図１６】１つの注文で複数個口の配送品を送付する際に、本発明の伝票と図１３の伝票とを組み合わせて用いた配送品の出庫作業の一例を示した構成図である。
【発明を実施するための形態】
【００１３】
図１は、図１（ａ）乃至図１（ｃ）の総称であり、本発明の伝票を構成する２枚のシート（第１のシートと第２のシート）を重ね合わせる様子の一例を、側面図や斜視図で示した構成図である。２枚のシートは、同一または略同一の形状のシートであり、対接する面の一部が接着されている。そして、これらの図１（ａ）乃至図１（ｃ）における破線の矢印は、２枚のシートのそれぞれの角の重なり合う位置を示している。なお、面の詳細については図２および図３で行う。
図１（ａ）は、本発明の伝票を構成する２枚のシートの一例を、側面図で示した構成図である。
第１のシート上面（Ａ−１面）は、印字領域を持つとともに、第２のシートを対接しない面である。
第１のシート下面（Ａ−２面）は、第２のシート上面（Ｂ−２面）と対接する面である。
第２のシート下面（Ｂ−１面）は、第１のシート下面（Ａ−２面）と対接する面である。
第２のシート上面（Ｂ−２面）は、印字領域を持つとともに、第１のシートを対接しない面である。
【００１４】
このように、本発明の伝票においては印字可能な印字領域が、Ａ−１面とＢ−２面に備えられており、プリンターなどの印刷機械によって、Ａ−１面とＢ−２面の両面印刷が可能に設けられている。
【００１５】
なお、本発明のシートの材料には、一般用紙、上質紙、感圧紙（登録商標）や感熱紙等の機能性用紙、複写用紙、クラフト紙、グラシン紙、パーチメント紙、レーヨン紙、コート紙、合成紙、樹脂フィルムなどによりラミネートされた紙等の紙が好適に用いられる。そして、セロファン、延伸ポリプロピレン、ポリエチレンテレフタレート（ＰＥＴ）、発泡ＰＥＴ、延伸ポリスチレン、ポリ塩化ビニル等の樹脂フィルム等であってもよい。
図１（ｂ）は、伝票を構成する２枚のシートを重ね合わせる様子の一例を、Ａ−１面側から見た斜視図で示した構成図である。
【００１６】
図１（ｃ）は、本発明の伝票を構成する２枚のシート（第１のシートシートと第２のシートシート）を重ね合わせる様子の一例を、Ｂ−２面側から見た斜視図で示した構成図である。
【００１７】
図２は、本発明の第１の実施例の伝票を構成する２枚のシートのそれぞれの上面と下面の一例を示した構成図である。以下、図８まで第１の実施例の伝票について述べてゆく。
＜第１のシートの構成＞
ここから、第１のシートの構成について述べる。
【００１８】
第１のシートは、伝票の外周縁（部位の外側の周囲の縁）のうち、平行する２辺の外周縁に垂直な、１本の直線上に形成されたスリット１ａ、ミシン目２、スリット１ｂで連接する２つの部位（一方を上側部位１０、他方を下側部位２０とする）を備えている。
【００１９】
なお、スリット１ａおよびスリット１ｂとは、それぞれ第１のシートの異なる外周縁の１辺に達しており、ミシン目２はスリット１ａとスリット１ｂとの間に挟まれている。
［上側部位１０の構成］
上側部位１０は、ピッキングリスト１０１、荷札１０２、廃棄部１０５の３つの部位から構成されている。
【００２０】
ピッキングリスト１０１と荷札１０２とは、それぞれ矩形で同一または略同一のサイズであり、互いにミシン目で切取が可能に連接されている。そして、外周縁のうち一辺は、それぞれミシン目２で下側部位２０と切取が可能に連接している。
【００２１】
廃棄部１０５は、コの字の部材である。コの字の外側の三周縁（コの字の外側の三辺）は、上側部位１０の三周縁（上側基材の四辺の外周縁のうちの三辺）である。（周縁：もののまわり。ふち。三周縁は、任意の部位の三辺の縁を指す）また、コの字の内側の三周縁は、ピッキングリスト１０１と荷札１０２の外周のうち、互いに連接された辺およびミシン目２の辺以外の辺とミシン目で切取が可能に連接している。
【００２２】
そして、廃棄部１０５の外周縁のうち、コの字の部材の外側の三周縁でもコの字の部材の内側の三周縁でもない辺は、スリット１ａまたはスリット１ｂで下側部位２０と連接している。
［ピッキングリスト１０１の概要と構成］
ピッキングリスト１０１は、本発明におけるシート片の一つである。
【００２３】
なお、本発明におけるシート片とは、ピッキングリスト１０１、荷札１０２、送り状１０３、受領書１０４、納品書１３１のことであり、次のような部位である。
１．伝票のシートの一部であり、伝票に切取が可能に連接している。
２．Ａ−１面またはＢ−２面に、情報を印字するための領域（印字領域）を備える。
【００２４】
また、ピッキングリストとは、倉庫内の作業者が、ピックアップ作業の際に同梱する品物を確認するために用いられ、ピッキング作業終了後は廃棄されるシート片である。１注文で必要となる枚数は、ピックアップ作業者の数である。なお、ピッキング作業とは、物流での仕分け作業のひとつであり、例えば、注文のあった品物などを選んで取り出す作業を指す。
【００２５】
ピッキングリスト１０１は、Ａ−１面が印字可能な印字領域である。また、ピッキングリスト１０１のＡ−２面は、納品書１３１（後述）及び、台紙部１３５と対接している。また、ピッキングリスト１０１のＡ−２面は、繰り返し貼ったり剥がしたりできる接着剤（再剥離可能な粘着剤）が塗布されている構成であるか、粘着性が低い構成であることが望ましい。（再剥離は、付箋紙のように、貼り付けた後に再び（綺麗に）剥がすことを表している。）
【００２６】
粘着剤について補足すると、本実施例では、対接するＡ−２面とＢ−１面とのうち、後で剥がせるように設けた接着面に用いる接着剤を特に、「粘着剤」と表現している。なお、ピッキングリスト１０１のＡ−２面に繰り返し貼ったり剥がしたりできる接着剤（再剥離可能な粘着剤）が塗布されている構成の場合、ピックアップ作業者が、ピッキングリスト１０１を付箋紙のように棚や壁に貼り付けられるようになる。そして、作業者がピッキング作業を行う際に、ピッキングリストを手に持たずにハンズフリーで作業を行うために役立てることができる。
ピッキングリスト表面１１１は、ピッキングリスト１０１のＡ−１面である。
ピッキングリスト裏面１２１は、ピッキングリスト１０１のＡ−２面である。
［荷札１０２の概要と構成］
【００２７】
荷札１０２は、Ａ−１面に配送先の情報や伝票番号とその枝番などが印字されるシート片である。そして、配送品の送達後は受取人によって、廃棄される。荷札１０２は、個口数分貼付けられるシート片だが、個口数が１である場合、送り状１０３（後述）を貼ることで荷札１０２を省くこともできる。
【００２８】
荷札１０２は、Ａ−１面が印字可能な印字領域である。荷札１０２のＡ−２面は、納品書１３１や、台紙部１３５と対接している。また、荷札１０２のＡ−２面は、対接するＢ−１面から剥がせるような構成で接着剤が塗布されている。なお、荷札１０２のＡ−２面に塗布される接着剤の性質は、繰り返し貼ったり剥がしたりできる性質であってもよいし、できなくともよい（再剥離可能な粘着剤であってもなくともよい）。Ｂ−１面から剥がされた荷札１０２は、Ａ−２面の接着剤（粘着剤）の塗布された面を、配送時に荷札を配送品の包装（包装箱、包装容器や包装紙などの包みなど）に貼り付けて使う。
荷札表面１１２は、荷札１０２のＡ−１面である。
荷札裏面１２２は、荷札１０２のＡ−２面である。
【００２９】
荷札裏面１２２は、荷札は個口毎に貼りつけるシート片であり、独立して配送品の外装に貼りつけられる。したがって塗布される接着剤は、次のようなタイプが好適である。
第１の荷札裏面１２２は、再剥離する接着剤（再剥離可能な粘着剤）を塗布されているタイプである。
このタイプのメリットは、配送品の配送後に荷札を容易に剥がせることである。
配送後、配送品の包装に荷札を残しておきたくない場合に好適である。
第２の荷札裏面１２２は、再剥離しない接着剤（再剥離可能でない粘着剤）を塗布されているタイプである。
【００３０】
このタイプのメリットは、再剥離する接着剤を塗布されているタイプよりも、一般的に、強い接着力が期待できることである。包装から荷札を剥がす必要のない場合に好適である。
［ピッキングリスト１０１や荷札１０２を備えるメリットについて］
【００３１】
ここで、本発明において、ピッキングリスト１０１や荷札１０２を、従来技術（特許文献１）で提案されている、後述の送り状１０３と受領書１０４と納品書１３１とを備えた伝票に、さらに備えさせたメリットについて説明する。
メリットは、作業者のヒューマンエラーや業務負荷を軽減が期待できることである。
【００３２】
シート片を一つの伝票で出力することで、シート片を別々に出力した場合に起こるシート片を組み合わせる手間を省き、シート辺の組み合わせ間違いを防止することができる。
上述の通り、ピッキングリスト１０１と荷札１０２は、伝票に一体で備わっていることに意味があるので、その位置や並びは図２に限定されるものではない。
［廃棄部１０５の構成］
【００３３】
廃棄部１０５は、２枚のシートを接着して保持する（固着する）役割と、ピッキングリスト１０１や荷札１０２を保護する役割を持っている。そして伝票を配送品の包装に貼り付ける際に、台紙部１３５とともに伝票から切り取られ、剥がされて廃棄される。詳細は図５（ａ）と図５（ｂ）の説明の際に述べる。（固着について補足する。本実施例における「固着」は、対接するＡ−２面とＢ−１面のうち、剥がせないよう、接着、保持されている領域に対して、特に「固着した」という表現を用いている。）
【００３４】
廃棄部１０５は、Ａ−２面が台紙部１３５と対接し、台紙部１３５と対接する領域は、接着剤によって接着（固着）されている。なお、図９−１のように、２枚のシートを別の方法で接着しているケースにおいては、このパーツを廃してしまうこともできる。
廃棄部表面１１５は、廃棄部１０５のＡ−１面である。
廃棄部裏面１２５は、廃棄部１０５のＡ−２面である。
【００３５】
廃棄部裏面１２５の台紙部１３５と対接する領域は、本発明の伝票を作る際、対接する台紙部１３５と廃棄部裏面１２５とが剥離しないよう、対接面に接着剤等の薬剤を塗布し、接着（固着）する。
＜下側部位２０の構成＞
下側部位２０は、送り状１０３、受領書１０４、シート片囲み部１０６の３つの部位から構成されている。
送り状１０３と受領書１０４とは、それぞれ矩形で同一または略同一のサイズであり、外周縁のうち１辺が、互いにミシン目で切取が可能に連接されている。
【００３６】
シート片囲み部１０６は、ロの字の部材であり、送り状１０３及び受領書１０４を囲うように、送り状１０３及び受領書１０４の外周縁のうち、送り状１０３と受領書１０４とが互いに連接された辺以外の辺と、ミシン目で切取が可能に連接されている。
【００３７】
また、廃棄部１０５の外周縁のうち、一辺は、上側部位１０と下側部位２０との連接部分であり、スリット１ａ、ミシン目２、スリット１ｂで上側部位１０と連接している。
【００３８】
したがって、シート片囲み部１０６の１辺は、ミシン目２を連接箇所としてピッキングリスト１０１及び荷札１０２と連接し、スリット１ａ及びスリット１ｂを連接箇所として廃棄部１０５と連接する。シート片囲み部１０６の外周縁のうち、上側部位１０と連接していない残りの３辺は、下側部位２０（あるいは伝票）の三周縁である。
［送り状１０３の概要と構成］
送り状１０３は、配送先の情報などが印字されるシート片である。そして、配送品の送達後に容易に切取って重ねて保管できる構成であることが望ましい。
【００３９】
送り状１０３は、Ａ−１面が印字可能な印字領域である。そしてＡ−２面は、納品書１３１と対接している。また、送り状１０３のＡ−２面は、剥離剤が塗布されている、あるいは何も塗布されていないなど、粘着性が低い構成であることが望ましい。これは、送達後に送り状１０３を重ねて容易に保管できるようにするためである。
送り状表面１１３は、送り状１０３のＡ−１面である。
送り状裏面１２３は、送り状１０３のＡ−２面である。
送り状裏面１２３は、粘着性を低減した仕様にするため、次のようなタイプが好適な例として考えられる。
第１の送り状裏面１２３は、何も塗布されていないタイプである（図２）。
このように、何も塗布しないことで、粘着性も小さくコストも抑えられる。
【００４０】
第２の送り状裏面１２３は、周囲の塗布剤の厚みと同一または略同一の厚みを持たせるような、粘着性の小さな剥離剤（シリコンなど）を塗布したタイプである（不図示）。このような塗布剤を用いて周囲と厚みを揃えることで、印刷のむらの防止や精度の向上が期待できる。
【００４１】
なお、送り状裏面１２３は、重ねて保管可能な構成であることを目的としているので、目的を達することができれば、必ずしも上記のような構成でなくともよい。
［受領書１０４の概要と構成］
【００４２】
受領書１０４は、配送者が受取人に配送品を引き渡す際に、配送者が受取人から受領印や受領のサインを受領し、配送の証拠（控え）として保管するシート片である。そして受領書１０４は、切り取られ重ねて容易に保管できることが望ましい。
【００４３】
受領書１０４は、送り状１０３と同じく、シート片囲み部１０６（後述）の内側の縁とミシン目などで切取が可能に連接され、Ａ−１面は印字可能な印字領域である。受領書１０４のＡ−２面は、納品書１３１（後述）と対接している。また、受領書１０４のＡ−２面は、剥離剤が塗布されている、あるいは何も塗布されていないなど、粘着性が低い構成であることが望ましい。送達後に受領書１０４を重ねて容易に保管できるようにするためである。
受領書表面１１４は、受領書１０４のＡ−１面である。
受領書裏面１２４は、受領書１０４のＡ−２面である。
送り状裏面１２３は、送り状１０３と同様に粘着性を低減した仕様にするため、好適な仕様は送り状裏面１２３と同様である。
１０６は、シート片囲み部である。
シート片囲み部１０６は、次のような役割果たしている。
１．送り状１０３、受領書１０４、ピッキングリスト１０１、荷札１０２を、伝票本体に切取が可能に保持する。
２．納品書連接部１３７（後述）と対接し、対接面で第１のシートと第２のシートとを接着する。
３．配送時に伝票を、配送品の包装に接着する。
［シート囲み部１０６の構成］
【００４４】
シート片囲み部１０６は、Ａ−２面が台紙部１３５や納品書連接部１３７と対接している。そして、台紙部１３５との対接面は、台紙部１３５から剥がせるような構成で接着剤（粘着剤）が塗られている。納品書連接部１３７との対接面は、接着剤によって剥がれないように接着、保持されて（固着されて）いる。
シート片囲み部表面１１６は、シート片囲み部１０６のＡ−１面である。
配送品粘着部１２６は、シート片囲み部１０６のＡ−２面のうち、台紙部１３５と対接する領域である（詳細は後述）。
【００４５】
配送品粘着部１２６は、台紙部１３５から剥離可能な構成で対接しており、台紙部１３５との対接面には、配送品に伝票を貼り付けるための接着剤（粘着剤）が塗布されている。なお、好適に塗布される接着剤（粘着剤）は、荷札裏面１２２に準ずる。
なお、伝票を配送品の外装に貼りつけるための詳しい手順については、図５にて後述する。
対接面固着部１２７は、シート片囲み部１０６のＡ−２面のうち、納品書連接部１３７と対接する領域である（詳細は後述）。
【００４６】
納品書連接部１３７と対接するシート片囲み部１０６の対接面固着部１２７は、本発明の伝票を作る際、対接する納品書連接部１３７と対接面固着部１２７とが剥離しないよう、対接面に接着剤を塗布し、接着（固着）させる。
以上が第１のシートの構成の一例である。
＜第２のシートの構成＞
ここからは、第２のシートの構成について述べる。
第２のシートは、納品書１３１、台紙部１３５、納品書連接部１３７の３つの部位で構成されている。
納品書１３１は矩形の部位である。そして、納品書１３１の外周縁は、台紙部１３５及び納品書連接部１３７とミシン目で切取が可能に連接されている。
【００４７】
納品書連接部１３７はコの字の部位である。そして、納品書連接部１３７のコの字の内側の三周縁は、納品書１３１の外周縁のうち三周縁を覆う形で、ミシン目で切取が可能に接している。また、納品書１３１と納品書連接部１３７との連接部分は、第１のシートのシート片囲み部１０６と送り状１０３及び受領書１０４の外周との連接部分に対応する位置にある。
【００４８】
台紙部１３５は外周縁が矩形の部位である。そして、納品書１３１または納品書連接部１３７の外周縁と接する閉じられた内側の縁（内周縁）を、備えている。そして、納品書１３１の外周縁と接する箇所は、ミシン目で切取が可能に連接されており、納品書連接部１３７の外周縁と接する箇所は、スリットで分離されて連接している。なお、納品書連接部１３７の外周縁と接する箇所は、ミシン目で構成されていても構わない。しかし、スリットによって分離されていることが望ましい。これは、台紙部１３５をシート囲み部１０６から剥がす際、台紙部１３５を剥がす力が納品書１３１と納品書連接部１３７の連接部分に加わって、納品書１３１と納品書連接部１３７とが分離することを防ぐためである。
［納品書の概要と構成］
【００４９】
納品書１３１は、配送品の配送後に受取人が、受領した配送品の種類、個数、金額などに間違いがないかを確認や、受領した配送品の詳細な目録として保管する目的で用いられるシート片である。そして、配送品の送達後は重ねて容易に保管できるよう、粘着性の低い構成であることが望ましい。
【００５０】
納品書１３１は、Ｂ−１面が、送り状１０３、受領書１０４、シート片囲み部１０６、ピッキングリスト１０１、荷札１０２と対接し、これらの部位と対接する領域は、剥離剤が塗布されている、あるいは何も塗布されていないなど、粘着性が低い構成となっている。これは、送達後に納品書１３１を重ねて容易に保管できるようにするためである。特に再剥離可能な接着剤が塗られている部位と対接する納品書１３１の領域には、剥離剤が塗布されていることが望ましい。これは、接着剤が塗られている側の面と容易に剥離が可能にするためである。また、納品書１３１のＢ−２面は、印字可能な印字領域を備えている。
納品書表面１４１は、納品書１３１のＢ−２面である。
納品書裏面１５１は、納品書１３１のＢ−１面である。
［台紙部１３５の概要と構成］
台紙部１３５は、次のような役割がある。
１．廃棄部１０５や台紙部１３５と対接し、２枚のシートを接着する。
【００５１】
（廃棄部１０５とは、剥がれないように接着（固着）し、台紙部１３５とは、後で剥がせるように対接面Ｂ−１に剥離剤を塗って対接（再剥離可能に対接）する。）
２．台紙部１３５を剥がして配送品の包装に貼りつけるまでの間、配送品粘着部１２６と対接し、配送品粘着部１２６を保護する。
そして、廃棄部１０５と同様、配送品に伝票を貼り付ける際に、作業者が剥がして廃棄する。
【００５２】
台紙部１３５のＢ−１面は、廃棄部１０５やシート片囲み部１０６と対接している。廃棄部１０５と対接する台紙部１３５の領域は、剥がされないように接着剤で接着（固着）されている。シート片囲み部１０６と対接し接着（粘着）している台紙部１３５の領域は、剥がせるように剥離剤（シリコンなど）が塗布されている。
台紙部表面１４５は、台紙部のＢ−２面である。
台紙部裏面１５５は、台紙部のＢ−１面である。
［納品書連接部１３７の構成］
納品書連接部１３７は、納品書１３１を第２のシートに保持するとともに、２枚のシートを剥がされないように接着（固着）する役割を果たしている。
【００５３】
納品書連接部１３７のＢ−１面は、シート片囲み部１０６と対接し、対接面が剥がされないように、接着剤によって接着（固着）されている。そして、本発明の伝票は、納品書連接部１３７を備えることで、２枚のシートそれぞれに、印字可能で切取が可能に連接されたシート片を備えた伝票を、提供することができる。つまり、両面印刷が可能で、廃材となる部位の少ない伝票を提供することができる。
受領書連接部表面１４７は、納品書連接部１３７のＢ−２面である。
受領書連接部裏面１５７は、納品書連接部１３７のＢ−１面である。
受領書連接部裏面１５７は、対接面固着部１２７との対接面が、接着剤等の薬剤によって剥がされないように接着（固着）されている。
［ミシン目１６０とスリット１６１について］
【００５４】
ミシン目１６０は、各部位を切取が可能に連接する手段の一つである。ミシン目１６０は、伝票のシート片（１０１、１０２、１０３、１０４、１０５、１３１）が切り離しやすいように、シートに入れた連続した小穴（目打ち）や小さな切れ目である。手で引っ張れば切り離せる程度に設けられていればよく、特に形状、間隔、パターンなどは問わない。
【００５５】
１６１はスリットである。スリット１６１はミシン目１６０でも代用可能であるが、より容易に台紙部１３５を剥がすことができるよう、設けられている。なお、スリット１６１はミシン目１６０でも代用可能であるが、ミシン目１６０の全てがスリット１６１に置き換え可能であるわけではない。
【００５６】
台紙部１３５と納品書連接部１３７との連接部分のスリットは、台紙部１３５を剥がす際に、誤って納品書１３１と納品書連接部１３７との連接部分が切り取られることを防ぐために設けられている。
また、１ａ及び１ｂのスリットは、台紙部１３５を剥がす際に、基材片囲み部１０６を誤って破ってしまうことを防ぐために設けられている。
［折り目１６２について］
折り目１６２は、納品書１３１につけられていて、図５（ｂ）にて、納品書を折りたたむ際に用いられる。
【００５７】
折り目１６２は、基材片囲み部１０６と送り状１０３及び受領書の外周縁との連接部のうち、上側部位１０に最も近い辺に対応する位置に設けられている。そして、この位置に設けられた折り目で納品書を折りたたむことで、納品書は伝票を貼り付ける際に、配送品と伝票との間に封入できる。
以上が第２のシートの説明である。
［伝票の各部位同士の対応関係について（一例）］
図３は、図２で示した上２枚のシートの対接する点、各部位の位置関係、寸法の一例である。
ここで、図３に用いられている記号を説明する。
Ｘ１乃至Ｘ４およびＸ１´乃至Ｘ４´は、シートの角であり対接する位置を示している。
Ｘ１はＸ１´と、Ｘ２はＸ２´と、Ｘ３はＸ３´と、Ｘ４はＸ４´と、それぞれ対接する。
ａ、ｂ、ｃ、ｄ、ｅ、ｆ、ｇ、ｈ、ｉ、ｊ、ｋ、ｌは、任意の距離を示している。
【００５８】
なお、図３の任意の距離はあくまでも一例であり、変形例（例えば図９に例示するような）によっては、特定の部位の位置がずれたり、なくなることもあり得る。したがって、これらの距離が他の変形例においても全て適用されるわけではない。
＜本発明の伝票の使用手順について＞
図４乃至図８は、本発明の伝票の使用手順の一例を示した構成図である。
［伝票の貼付け準備］
【００５９】
まず、本発明の伝票は、印刷機（例えばプリンタ）にセットされ、伝票の両面に備えられたそれぞれの印字領域（シート片）に、それぞれ必要な情報が印刷される。（不図示）なお、それぞれの印字領域に記載される情報は、手書きで記入する場合も含まれる。また、伝票を貼り付けた後に、必要な情報を付加（書き加える、印字する）してもよい。
［ピッキングリスト１０１と荷札１０２の切り離し］
図４は、伝票から、ピッキングリスト１０１と荷札１０２が、ミシン目に沿って切り取られ、分離した状態を示している。
【００６０】
はじめに、ピッキングリスト１０１が、本発明の伝票からミシン目に沿って切り取られ、剥がされる。そして、切り取られピッキングリスト１０１は、配送品のピックアップ作業に用いられる。この際、ピッキングリスト１０１のＡ−２面に再剥離が可能な接着剤（粘着剤）が塗布されていた場合、作業者は倉庫の棚などに貼り付けて、ハンズフリーでピッキング作業を行うことができる。
次に、荷札１０２が、本発明の伝票からミシン目に沿って切り取られ、剥がされる。
そして、図５の補足図のように、接着剤（粘着剤）が塗布されているＡ−２面を、配送品の包装に対接させる形で貼り付ける。
［台紙部１３５と廃棄部１０５の切り離し］
【００６１】
図５は、図５（ａ）乃至図５（ｄ）の総称である。そして、図５は、図４の状態の後、作業者が伝票を配送品に貼りつけて、配送準備を完了するまでの一連の手順の一例を示した構成図である。なお、図５（ａ）乃至図５（ｃ）は、伝票をＢ−２面側から見た状態を示しており、図５（ｄ）は、伝票をＡ−１面側から見た状態を示している。
【００６２】
図５（ａ）は、作業者が台紙部１３５を右下からつまんでめくりあげ、剥がす様子の一例を示した図である。台紙部１３５は、下側部位２０と台紙部１３５の角からめくられて剥がされてゆく。そしてその際、台紙部１３５と納品書連接部１３７の対接部のスリットと、台紙部１３５と納品書１３１の対接部のミシン目に沿って、伝票から切り離される。
【００６３】
また、台紙部１３５に剥離しないよう対接面が接着された廃棄部１０５も、廃棄部１０５とピッキングリスト１０１及び荷札１０２とのミシン目で連接された連接部分（廃棄部１０５の、内側の三周縁）で切り離され、台紙部１３５と共に剥がされる。
【００６４】
また、シート片囲み部１０６と対接していた台紙部１３５のＢ−１面には剥離剤が塗布されており、台紙部１３５と対接していたシート片囲み部１０６のＡ−２面には接着剤（粘着剤）が塗布されている。したがって、台紙部１３５（および廃棄部１０５）が切り離された後は、接着剤（粘着剤）の塗布されたシート片囲み部１０６のＡ−２面が露出する。
なお、剥がした後の台紙部１３５は、廃棄される。
ここで、台紙部１３５と納品書連接部１３７の対接部について補足する。
台紙部１３５と納品書連接部１３７の対接部はミシン目で連接されていてもよいが、スリットであるほうが望ましい。
【００６５】
これは、台紙部１３５と納品書連接部１３７の対接部がスリットである場合、連接部がミシン目であるよりも、台紙部１３５をめくりあげる力を、納品書１３１と納品書連接部１３７の連接部のミシン目以外の場所に大きく逃がすことができるからである。
【００６６】
そして、このように設けることで、台紙部１３５のめくりあげと切り離しの際、納品書１３１と納品書連接部１３７の連接部のミシン目が意図せずに切れてしまうリスクを軽減することができる。
［伝票の貼付け］
図５（ｂ）は、伝票から台紙部１３５が切り離された後の状態の一例を示している。
そして次に、納品書１３１が、Ｂ−２面同士が対接するように折り目１６２で折られる。
ここで、納品書１３１とシート片囲み部１０６とが対接する対接面について補足する。
【００６７】
シート片囲み部１０６と対接していた納品書１３１のＢ−１面には剥離剤が塗布されており、納品書１３１と対接していたシート片囲み部１０６のＡ−２面には接着剤（粘着剤）が塗布されている。したがって、納品書１３１が、折り目１６２で折られた後は、接着剤（粘着剤）の塗布されたシート片囲み部１０６のＡ−２面が露出する。
このように設けることで、シート片囲み部は、次のような特徴を持つことができる。
【００６８】
１．シート片囲み部１０６の粘着剤を塗布された面を、４辺が閉じられた形（ロの字型）に持つことができる。その結果、４辺が閉じられた領域（ロの字の内側）に納品書１３１封入ができるようになり、高い密封性を実現できる。
２．シート片囲み部１０６の４辺が閉じられた領域よりも大きなサイズの納品書１３１を、伝票に保持したまま封入できる。
［納品書の貼付け］
図５（ｃ）は、図５（ｂ）で納品書１３１が折り込まれた状態の一例を示している。
【００６９】
そして、この時点で伝票には、１枚目のシートのうち、シート片囲み部１０６と送り状１０３と受領書１０４とが残り、２枚目のシートのうち、納品書１３１と納品書連接部１３７とが残っている。
【００７０】
納品書連接部１３７の外周縁とシート片囲み部１０６の内周縁とが対応して対接し、対接面は、剥がれないように接着（固着）されている。このように設けられていることで、本願発明の伝票は、送り状１０３及び受領書１０４を含む１枚目のシートと納品書１３１を含む２枚目のシートとが、一体となっている。
【００７１】
また、送り状１０３及び受領書１０４と納品書１３１とが対接している（図５（ｃ）の補足図  Ｘ−Ｘ´断面参照）。そして、送り状１０３及び受領書１０４と納品書１３１との対接面は、極力粘着性を低減した構成となっている（剥離剤が塗布されている、何も塗られていないなど）。このように設けることで、いずれのシート片も、切り取った後に容易に重ねて保管できるようになる。
そして次に、伝票を配送品粘着部１２６が配送品に対接するよう伝票を裏返し、配送品の包装に貼りつける。
図５（ｄ）は、図５（ｃ）で伝票が配送品の包装に貼りつけられた状態の一例である。
【００７２】
このように伝票が貼り付けられることで、配送品の包装と第１のシート部分（シート片囲み部１０６と送り状１０３と受領書１０４）との間の空間に、第２のシート部分（納品書１３１と納品書連接部１３７）が密封される。
この状態で、配送品の発送準備が完了となる。
［配送品の送達］
【００７３】
図６は、図６（ａ）、図６（ｂ）の総称である。そして図６は、配送品の包装に貼られた本発明の第１の実施例伝票であって、送り状１０３・受領書１０４の切取前と切取後の一例を示した構成図である。
【００７４】
図６（ａ）は、配送品の包装に貼られた伝票（送り状１０３・受領書１０４の切取前）を、Ａ−１面から見た構成図の一例である。つまり、図５（ｄ）の正面図である。
配送品は、この状態で送り元から送り先へと送達される。
［配送品の送達後（送り状１０３、受領書１０４、納品書１３１の切取り）］
図６（ｂ）は、配送品の包装に貼られた伝票（送り状１０３・受領書１０４の切取後）の一例を示す図である。
【００７５】
配送品に貼り付けられた本願発明の伝票の受領書１０４は、配送品の配送者から荷受人に引き渡される際に、荷受人によってミシン目に沿って切り取られ、受領印（あるいはサインなど）を押印・記載し、配送者に配送完了控えとして渡される。そして、引き渡された受領書１０４は、配送者によって保管される。
次に、送り状１０３も荷受人によってミシン目に沿って切り取られ、保管される。
図７は、納品書１３１が切り取られる様子の一例を示した構成図である。
【００７６】
送り状１０３に続き、納品書１３１が、荷受人によって納品書連接部１３７から連接部のミシン目に沿って切り取られる。切り取り方は、まず納品書１３１の折り目１６２をつまみ、続いてシート片囲み部１０６と連接している方向に、納品書１３１を引き込む。そして、つまんだ辺に平行する連接部をミシン目に沿って切離す。この一連の動作により、納品書１３１は納品書連接部１３７から連接部であるミシン目に沿って切取られる。
そして、切り取られた納品書１３１は、発注時の種類、個数、金額と受取り内容とに瑕疵がないか確認するために用いられる。
図７補足図ａは、図７のＸ−Ｘ´断面である。
納品書１３１の折り目１６２と平行な方向の断面の一例を示している。
図７補足図ｂは、図７のＹ−Ｙ´断面である。
納品書１３１の折り目１６２と直行する方向の断面の一例を示している。
図８は、図７から納品書１３１を分離した後の状態を示している。
【００７７】
配送品の包装に貼り付けられているシート片囲み部１０６（納品書連接部１３７もついている）と荷札１０２は、この後配送品に容易に貼られたまま包装ごと廃棄されるか、剥がされて廃棄されることになる。
【００７８】
どちらになるかは、裏面の配送品粘着部１２６の接着剤が再度剥がせるものか、そうでないものかによって異なる。そして、配送品の化粧箱などに伝票が直接貼られて送達されるような場合、シート片囲み部１０６と荷札１０２に塗布される接着剤は、再度剥がせる接着剤であるほうが、外装が損なわれないためより望ましい。
図９乃至図１１は、図２に示した本発明の伝票の変形例（第２乃至第４の実施例）である。
図９は、本願発明の伝票の第２の実施例の一例を示した構成図である。
第１の実施例との違いは、１つある。
一つ目の違いは、第１のシートに廃棄部１０５がない点である。
２つ目の違いは、納品書の一辺が、第２のシートの外周部に達している点である。
【００７９】
このような構成の場合、第１のシートと第２のシートとを剥離可能に接着しておくために、第１のシートの上側部位１０には接着剤（粘着剤）を塗布し、上側部位１０と対接する第２のシートの面には剥離剤を塗布し、剥離可能に接着しておく。
このような構成の利点は、第１の実施例よりもピッキングリスト１０１、荷札１０２、納品書１３１の領域を大きく取れ、廃棄する部材を減らせることである。
図１０は、本願発明の伝票の第３の実施例の一例を示した構成図である。
第１の実施例との違いは、送り状１０３と受領書１０４の外周部分がミシン目２となっていることである。
このような構成の利点は、第１の実施例よりも送り状１０３と受領書１０４の領域を大きく取れ、廃棄する部材を減らせることである。
図１１は、本願発明の伝票の第４の実施例の一例を示した構成図である。
【００８０】
第１の実施例との違いは、送り状１０３と受領書１０４の外周部分が第１のシートの外周縁に、納品書１３１の外周部分が第２のシートの外周縁に、それぞれ達していることである。
このような構成の利点は、第１の実施例よりも送り状１０３、受領書１０４、納品書１３１の領域を大きく取れ、廃棄する部材を減らせることである。
図１２は、配送品が複数個口である場合に、各個口ごとにそれぞれ添付するシート片の一例を示した構成図である。
【００８１】
送り状・受領書・明細書は、１回の発注で１部だけ必要なものであるので、一個口目に添付する。そして、荷札は各個口ごとに貼りつける伝票なので、全ての個口の配送品に添付する。
図１３は、２個口目以降に貼りつける伝票の構成の一例を示した構成図である。
【００８２】
第１のシートと第２のシートが重ね合わさり、対接する面はそれぞれ第１のシート側の面に接着剤（粘着剤）が、第２のシート側に剥離剤が、それぞれ塗布され、第１のシートと第２のシートとは剥がせるように接着されている。
また第１のシートは、スリットで分割されたシート片が連接しており、それぞれのシート片を個別に剥がすことができるようになっている。
粘着剤は、再剥離粘着剤と、再剥離を想定しない粘着剤とが好適に用いられるが、用途に応じて使い分ければよい。
ピッキングリストは、作業者の数に応じて印刷する。２個口目以降の作業者が１個口目の作業者と同一であった場合、省くことができる。
【００８３】
図１４および図１５は、１つの注文で複数個口の配送品を送付する際に、特許文献１の伝票と図１３の伝票とを組み合わせて用いた配送品の出庫作業の一例である。
【００８４】
なお、図１５は図１４の続きとなる。また、この事例では作業者は作業者１と作業者２の２名であるが、作業者１が全ての作業を行ってもよいし、作業者２の作業と同じ手順の作業を行う作業者が、複数いても構わない。
作業者１は、次のような手順で発送作業を行う。
１．図１３の荷札とピッキングリストの伝票２２０１を用意する。
２．ピッキングリストを切り離してピッキング作業（在庫棚２２０２から注文のあった品物をピックアップする）を行う。
３．荷札を切取り、配送品の包装（配送箱）へ貼りつける。
４．最初に用いた伝票と同じ注文に対応した特許文献１の伝票を準備する。
５．準備した、特許文献１の伝票を配送品の外装（配送箱）に貼りつける。
作業者２は、次のような手順で作業を行う。
１．荷札とピッキングリストの伝票２２０１を用意する。
２．ピッキングリストを切り離し、ピッキング作業を行う。
３．荷札を切取り、配送箱２２０３へ貼りつける。
そして、それぞれの作業者の出荷作業が完了したら、配送品を出庫することになる。
【００８５】
ここで、問題となるのは、作業者１の４番目の作業である。この作業には、最初に用いた伝票と同じ注文に対応した特許文献１の伝票を準備する際、違う伝票を選択してしまうリスクがある。
図１６は、１つの注文で複数個口の配送品を送付する際に、本発明の伝票と図１３の伝票とを組み合わせて用いた配送品の出庫作業の一例である。
作業者１は、次のような手順で発送作業を行う。
１．本発明の伝票２２１０を用意する。
２．ピッキングリストを伝票から切り離してピッキング作業を行う。
３．荷札を切取り、荷札と伝票とを配送品の外装（配送箱）へ貼りつける。
【００８６】
このように、本発明の伝票は、従来の伝票に備えられているシート片に加えて、ピッキングリスト１０１と荷札１０２をさらに備えているため、図１４と図１５で説明した、特許文献１のような伝票の選択作業が省かれる。そしてその結果、伝票を取り違えるリスクを低減することができる。
【００８７】
なお、この図における２２１０は、表面と裏面のシート片のみを簡易的に表現したものである。先に述べたとおり、実際には第１のシートにピッキングリスト１０１、荷札１０２、送り状１０３、受領書１０４が切取可能に連接しており、第２のシートに納品書１３１が切取可能に連接している。
また、本発明の伝票２２１０のイラストは、表面にピッキングリスト、荷札、送り状、受領書を、裏面に納品書を備えていることを示している。
【００８８】
以上説明したように、本発明は、印字が可能な領域を両面に設けることで、これまで全てシート片として活用されていなかった第２のシートをシート片として活用できる伝票の提供が可能となった。そしてその結果、先行技術文献１の伝票よりも、廃棄される部位の少ない伝票の提供が可能となった。
そして、本発明の伝票は、次のことを特徴とするものである。
【００８９】
１．配送する際に送り状（送り状１０３）として用いられる第１のシートの面（第１のシートのＡ−２面）と、納品する際に納品書（納品書１３１）として用いられる第２のシートの面（第２のシートのＢ−１面）とが接着（シート片囲み部１０６と納品書連接部１３７との接着）されることで構成される伝票であって、前記第１のシートと前記第２のシートとに、それぞれのシートと接着する接着領域であって、前記第１のシートと前記第２のシートとを剥がされないように接着剤が施された接着領域（シート片囲み部１０６と納品書連接部１３７の接着部分。すなわち対接面固着部１２７と受領書連接部裏面１５７）を備え、前記第１のシートは、前記第１のシートの前記接着領域と連接し、前記第１のシートから切り取り可能な第１の領域（送り状１０３、受領書１０４）を備え、前記第２のシートは、前記第２のシートの前記接着領域と連接し、前記第１の領域と相対する位置にあり、前記第２のシートから切り取り可能な第２の領域（納品書１３１）を備えることを特徴とする伝票。
【００９０】
２．前記第１のシートは、前記接着領域と前記第１の領域とが連接していない第１のシートの第３の領域（シート片囲み部１０６）であって、前記第１のシートと前記第２のシートとを剥がせるように、前記第２のシートの面と接着された前記第１のシートの面に接着剤が施された第３の領域（シート片囲み部１０６のＡ−２面で、接着剤を塗布した領域、すなわち配送品粘着部１２６）を更に備えることを特徴とする伝票。
【００９１】
３．前記第２のシートは、前記接着領域（納品書連接部１３７のＢ−１面）と前記第２の領域（納品書１３１）とが連接していない第２のシートの第４の領域（台紙部１３５）であって、前記第１のシートと前記第２のシートとを剥がせるように、前記第１のシートの面と接着された前記第２のシートの面に剥離剤が施された第４の領域（台紙部１３５）を更に備えることを特徴とする伝票。
【００９２】
４．前記第２のシートは、前記第４の領域（台紙部１３５）と前記第２のシートの前記接着領域（納品書連接部１３７のＢ−１面）との間にスリット（台紙部１３５と納品書連接部１３７との間のスリット１６１）を備えていることを特徴とする伝票。
５．前記第２のシートは、
【００９３】
前記第４の領域（台紙部１３５）と前記第２のシートの前記接着領域との間に設けられたスリット（台紙部１３５と納品書連接部１３７との間のスリット１６１）は、ミシン目（ミシン目１６０）を含むことを特徴とする伝票。
【００９４】
６．前記第１の領域（送り状１０３、受領書１０４）は、前記第１のシートの前記接着領域（対接面固着部１２７）と連接し、前記第１のシートから切り取り可能に構成されていることを特徴とする（外周縁がシート囲み部１０６とミシン目１６０で連接された送り状１０３や受領書１０４）伝票。
【００９５】
７．前記第１のシートは、前記第１のシートの前記接着領域（対接面固着部１２７）と前記第１の領域（送り状１０３、受領書１０４）との間にミシン目（ミシン目１６０）を備え、前記第１の領域は、前記第１のシートの前記接着領域（対接面固着部１２７）と前記第１の領域（送り状１０３、受領書１０４）との間に設けられた前記ミシン目（ミシン目１６０）により、前記第１のシートの前記接着領域（対接面固着部１２７）と連接し、前記第１のシートから切り取り可能な領域であることを特徴とする伝票。
【００９６】
８．前記第１の領域（送り状１０３、受領書１０４）は、前記第３の領域（シート片囲み部１０６）と連接し、前記第１のシートから切り取り可能に構成（送り状１０３または受領書１０４とシート片囲み部１０６とがミシン目１６０で連接されている）されていることを特徴とする伝票。
【００９７】
９．前記第１のシートは、前記第３の領域（シート片囲み部１０６）と前記第１の領域（送り状１０３、受領書１０４）との間にミシン目を備え、前記第１の領域は、前記第３の領域と前記第１の領域との間に設けられた前記ミシン目により、第３の領域と連接し、前記第１のシートから切り取り可能な領域（シート片囲み部１０６との連接部分が、ミシン目である送り状１０３または受領書１０４）であることを特徴とする伝票。
【００９８】
１０．前記第２の領域（納品書１３１）は、前記第２のシートの前記接着領域（納品書連接部１３７）と連接し、前記第１のシートから切り取り可能に構成（納品書１３１と納品書連接部１３７とがミシン目１６０で連接されている）されていることを特徴とする伝票。
【００９９】
１１．前記第２のシートは、前記第２のシートの前記接着領域（納品書連接部１３７のＢ−１面）と前記第２の領域（納品書１３１）との間にミシン目を備え、前記第２の領域は、前記第２のシートの前記接着領域（納品書連接部１３７のＢ−１面）と前記第２の領域（納品書１３１）との間に設けられた前記ミシン目により、前記第２のシートの前記接着領域と連接し、前記第２のシートから切り取り可能な領域である（納品書連接部１３７との連接部が、ミシン目１６０で連接されている納品書１３１）ことを特徴とする伝票。
【０１００】
１２．前記第２の領域（納品書１３１）は、前記第２のシートの前記第４の領域（台紙部１３５）と連接し、前記第１のシートから切り取り可能に構成されている（納品書１３１と台紙部１３５との連接部分がミシン目１６０で連接されている）ことを特徴とする伝票。
【０１０１】
１３．前記第２のシートは、第４の領域（台紙部１３５）と前記第２の領域（納品書１３１）との間にミシン目を備え、前記第２の領域は、第４の領域と前記第２の領域との間に設けられた前記ミシン目により、第４の領域（台紙部１３５）と連接し、前記第２のシートから切り取り可能な領域（台紙部１３５との連接部が、ミシン目１６０で連接されている納品書１３１）であることを特徴とする伝票。
【０１０２】
１４．前記第１のシートは、前記第３の領域（シート片囲み部１０６）と切取りが可能に連接し、前記第２のシートと相対する第５の領域（ピッキングリスト１０１、荷札１０２）を更に備えることを特徴とする請求項２乃至９のいずれか１項に記載の伝票。
【０１０３】
１５．前記第１のシートは、前記第３の領域（シート片囲み部１０６）と前記第５の領域（ピッキングリスト１０１、荷札１０２）とに切取りが可能に連接し、前記第３の領域（シート片囲み部１０６）との間にスリット（スリット１ａ、スリット１ｂ）を備える第６の領域であって、前記第４の領域（台紙部１３５）に相対し、前記第１のシートと前記第２のシートとを剥がされないように接着剤が施された第６の領域（廃棄部１０５）を、更に備えることを特徴とする伝票。
【０１０４】
１６．前記第２の領域（納品書１３１）は、さらに前記第３の領域（シート片囲み部１０６）と相対する前記第２の領域（納品書１３１）であって、前記第１のシートの面と接着された前記第２のシートの面に剥離剤が塗布された前記第２の領域であることを特徴とする伝票。
【符号の説明】
【０１０５】
１０３    送り状
１０４    受領書
１３１    納品書
１２７    対接面固着部
１３７    納品書連接部
１５７    受領書連接部裏面
【図１】
2015174366.tif 000003
【図２】
2015174366.tif 000004
【図３】
2015174366.tif 000005
【図４】
2015174366.tif 000006
【図５】
2015174366.tif 000007
【図６】
2015174366.tif 000008
【図７】
2015174366.tif 000009
【図８】
2015174366.tif 000010
【図９】
2015174366.tif 000011
【図１０】
2015174366.tif 000012
【図１１】
2015174366.tif 000013
【図１２】
2015174366.tif 000014
【図１３】
2015174366.tif 000015
【図１４】
2015174366.tif 000016
【図１５】
2015174366.tif 000017
【図１６】
2015174366.tif 000018